(57)【要約】  【課題】  住戸番号の登録における支障を防止すると共に住戸番号を自動で登録することができる通話システム、共用端末、制御装置、および住戸端末を提供すること。  【解決手段】  共用インターホン１０は、呼び出しを行うときの住戸を識別するための住戸番号を入力させ、入力された住戸番号を含む呼出信号を制御装置２０に送信し、制御装置２０は、住戸インターホン３０のアドレスと住戸番号とを対応させた対応情報を記憶し、共用インターホン１０から送信された呼び出し信号を受信し、受信した呼出信号に含まれる住戸番号と対応するアドレスが対応情報に存在しないとき、各住戸インターホン３０のうち１つからアドレスを取得し、取得したアドレスと呼出信号に含まれる住戸番号との対応を対応情報に加えると共に、呼出信号に含まれる住戸番号と対応する住戸インターホン３０と共用インターホン１０とを通話可能に接続するように構成する。【選択図】  図１
2006041812.tif 000002
【特許請求の範囲】
【請求項１】
住戸毎に設置された複数の住戸端末と、前記住戸端末に接続された制御装置と、前記制御装置に接続された共用端末とを備え、
前記共用端末は、
呼び出しを行うときの住戸を識別するための住戸番号を入力させる住戸番号入力手段と、
前記住戸番号入力手段によって入力された住戸番号を含む呼出信号を前記制御装置に送信する第１の通信手段とを有し、
前記住戸端末は、
自己の前記住戸番号を予め記憶する第２の記憶手段と、
前記制御装置から送信されたアドレス取得信号を受信する第４の通信手段とを有し、
前記アドレス取得信号に含まれる住戸番号が、前記第２の記憶手段に記憶された住戸番号と同一であるとき、前記第４の通信手段は、前記アドレス取得信号に応答するための応答信号を前記制御装置に送信し、
前記制御装置は、
前記住戸端末のアドレスと前記住戸番号とを対応させた対応情報を記憶する第１の記憶手段と、
前記共用端末から送信された呼び出し信号を受信する第２の通信手段と、
前記呼出信号に含まれる住戸番号と対応する前記アドレスが前記対応情報に存在しないとき、前記住戸番号を含むアドレス取得信号を全ての前記住戸端末に送信する第３の通信手段とを有し、
前記住戸端末から送信された応答信号を前記第３の通信手段を介して受信し、前記応答信号を送信した住戸端末のアドレスと前記呼出信号に含まれる住戸番号との対応を前記対応情報に加えると共に、前記呼出信号に含まれる住戸番号と対応する前記住戸端末と前記共用端末とを通話可能に接続することを特徴とする通話システム。
【請求項２】
前記呼出信号に含まれる住戸番号と対応する前記アドレスが前記対応情報に存在しないとき、前記第２の通信手段は、エラー信号を前記共用端末に送信し、
前記共用端末は、前記制御装置から送信されたエラー信号を前記第１の通信手段を介して受信し、受信したエラー信号に応じた情報を表示することを特徴とする請求項１に記載の通話システム。
【請求項３】
前記応答信号に含まれるアドレスと前記呼出信号に含まれる住戸番号との対応を前記対応情報に加えたとき、前記第２の通信手段は、再度呼び出しを行わせるための再呼出要求信号を前記共用端末に送信し、
前記共用端末は、前記制御装置から送信された再呼出要求信号を前記第１の通信手段を介して受信し、受信した再呼出要求信号に応じた情報を表示することを特徴とする請求項１または請求項２に記載の通話システム。
【請求項４】
前記共用端末は、前記エラー信号を前記第１の通信手段を介して受信した時点から一定の時間を計時する計時手段を備え、前記計時手段が一定の時間を計時したとき再度呼び出しを行わせるための情報を表示することを特徴とする請求項２に記載の通話システム。
【請求項５】
住戸毎に設置された１つ以上の住戸端末に接続された制御装置に接続されており、
前記制御装置が前記住戸端末と通話可能に接続したとき前記住戸端末の相手と通話させる通話手段と、
呼び出しを行うときの住戸を識別するための住戸番号を入力させる住戸番号入力手段と、
前記住戸番号入力手段によって入力された住戸番号を含む呼出信号を前記制御装置に送信する第１の通信手段と、
前記制御装置から送信されたエラー信号を前記第１の通信手段を介して受信し、受信したエラー信号に応じた情報を表示する表示手段とを備えたことを特徴とする共用端末。
【請求項６】
共用端末と住戸毎に設置された１つ以上の住戸端末とに接続されており、
前記住戸端末のアドレスと住戸番号とを対応させるための対応情報を記憶する記憶手段と、
前記共用端末から送信された呼び出し信号を受信する第２の通信手段と、
前記呼出信号に含まれる住戸番号と対応する前記アドレスが前記対応情報に存在しないとき、前記住戸番号含むアドレス取得信号を各前記住戸端末に送信する第３の通信手段とを備え、
前記住戸端末から送信された応答信号を前記第３の通信手段を介して受信し、受信した応答信号に含まれるアドレスと前記呼出信号に含まれる住戸番号との対応を前記対応情報に加えると共に、前記呼出信号に含まれる住戸番号と対応する前記住戸端末と前記共用端末とを通話可能に接続することを特徴とする制御装置。
【請求項７】
共用端末に接続された制御装置に接続されており、
前記制御装置が前記共用端末と通話可能に接続したとき前記共用端末の相手と通話させる通話手段と、
自己の前記住戸番号および自己の前記アドレスを予め記憶する記憶手段と、
前記制御装置から送信されたアドレス取得信号を受信する通信手段とを備え、
前記アドレス取得信号に含まれる住戸番号が、前記記憶手段に記憶された住戸番号と同一であるとき、前記通信手段は、前記記憶手段に記憶されたアドレスを含む応答信号を前記制御装置に送信することを特徴とする住戸端末。
【発明の詳細な説明】
【技術分野】
【０００１】
本発明は、集合住宅などに設置された共用端末と住戸端末とを通話可能に接続するための通話システムに関する。
【背景技術】
【０００２】
従来の通話システムとしては、図８に示すように、マンションなどの集合住宅内の各住戸に設置されるインターホン７０と、各インターホン７０を制御する制御手段６３、各インターホン７０との間で信号を送受信する通信手段６１、及び住戸番号を記憶する不揮発性メモリ６２を有する主装置６０とを備え、住戸を識別するための住戸番号を主装置６０に自動で登録すると共に住戸番号の登録作業を簡略化するものが知られている。
【０００３】
また、図９は、従来の通話システムにおける住戸番号の自動登録の手順を示すシーケンス図である。まず、主装置６０は、バス状の伝送通信路に接続されている全てのインターホン７０、すなわち、インターホン７０Ａ、インターホン７０Ｂ、インターホン７０Ｃに対して住戸番号の設定がなされたか否かを確認するためのポーリングデータを同時に送出する。なお、ポーリングデータの送出は、一定時間間隔で繰り返し行われる。
【０００４】
次に、住戸番号の設定が手動でインターホン７０Ａになされた後にインターホン７０Ａがポーリングデータを受信したとき、インターホン７０Ａは、設定された住戸番号を含む住戸番号登録要求データを主装置６０に返信する。主装置６０は、住戸番号登録要求データを通信手段６１を介して受信し、受信した住戸番号登録要求データ内に含まれている住戸番号を不揮発性メモリ６２に登録することにより、住戸番号を主装置６０に自動で登録していた（例えば特許文献１参照。）。
【特許文献１】特開平９−３２６８６７号公報
【発明の開示】
【発明が解決しようとする課題】
【０００５】
しかしながら、上述の通話システムでは、通話システムの稼動中にインターホン７０に対する住戸番号が設定されるため、インターホン７０の住戸番号の設定が忘却されたり、また、複数のインターホン７０に対する住戸番号が同時に設定されると、それぞれのインターホン７０が住戸番号登録要求データを同時に返信するため、住戸番号登録要求データの一部が紛失されるなど、住戸番号の登録に支障をきたすという課題が残されていた。
【０００６】
本発明は、従来の課題を解決するためになされたもので、住戸番号の登録における支障を防止すると共に住戸番号を自動で登録することができる通話システム、共用端末、制御装置、および住戸端末を提供することを目的とする。
【課題を解決するための手段】
【０００７】
本発明の通話システムは、住戸毎に設置された複数の住戸端末と、前記住戸端末に接続された制御装置と、前記制御装置に接続された共用端末とを備え、前記共用端末は、呼び出しを行うときの住戸を識別するための住戸番号を入力させる住戸番号入力手段と、前記住戸番号入力手段によって入力された住戸番号を含む呼出信号を前記制御装置に送信する第１の通信手段とを有し、前記住戸端末は、自己の前記住戸番号を予め記憶する第２の記憶手段と、前記制御装置から送信されたアドレス取得信号を受信する第４の通信手段とを有し、前記アドレス取得信号に含まれる住戸番号が、前記第２の記憶手段に記憶された住戸番号と同一であるとき、前記第４の通信手段は、前記アドレス取得信号に応答するための応答信号を前記制御装置に送信し、前記制御装置は、前記住戸端末のアドレスと前記住戸番号とを対応させた対応情報を記憶する第１の記憶手段と、前記共用端末から送信された呼び出し信号を受信する第２の通信手段と、前記呼出信号に含まれる住戸番号と対応する前記アドレスが前記対応情報に存在しないとき、前記住戸番号を含むアドレス取得信号を全ての前記住戸端末に送信する第３の通信手段とを有し、前記住戸端末から送信された応答信号を前記第３の通信手段を介して受信し、前記応答信号を送信した住戸端末のアドレスと前記呼出信号に含まれる住戸番号との対応を前記対応情報に加えると共に、前記呼出信号に含まれる住戸番号と対応する前記住戸端末と前記共用端末とを通話可能に接続する構成を有している。
【０００８】
この構成により、通話システムの稼動中に住戸端末に対する住戸番号の設定を行わずに、共用端末から送信された呼出信号に応じて制御装置が、住戸端末が予め記憶している住戸端末のアドレスを取得し、取得した住戸端末のアドレスと呼出信号に含まれる住戸番号との対応を対応情報に加えることにより住戸番号の登録を行うため、住戸番号の登録における支障を防止すると共に住戸番号を自動で登録することができる。
【０００９】
また、本発明の通話システムは、前記呼出信号に含まれる住戸番号と対応する前記アドレスが前記対応情報に存在しないとき、前記第２の通信手段は、エラー信号を前記共用端末に送信し、前記共用端末は、前記制御装置から送信されたエラー信号を前記第１の通信手段を介して受信し、受信したエラー信号に応じた情報を表示する構成を有している。
【００１０】
この構成により、呼出信号に含まれる住戸番号と対応するアドレスが対応情報に存在しないとき、エラー信号に応じた情報を表示するため、呼び出しの状況を利用者に確認させることができる。
【００１１】
さらに、本発明の通話システムは、前記応答信号に含まれるアドレスと前記呼出信号に含まれる住戸番号との対応を前記対応情報に加えたとき、前記第２の通信手段は、再度呼び出しを行わせるための再呼出要求信号を前記共用端末に送信し、前記共用端末は、前記制御装置から送信された再呼出要求信号を前記第１の通信手段を介して受信し、受信した再呼出要求信号に応じた情報を表示する構成を有している。
【００１２】
この構成により、呼出信号に含まれる住戸番号と対応するアドレスが対応情報に存在しない場合、応答信号に含まれるアドレスと呼出信号に含まれる住戸番号との対応を対応情報に加えたとき、再呼出要求信号に応じた情報を表示するため、利用者に再度呼び出しを行わせることができる。
【００１３】
さらに、本発明の通話システムは、前記共用端末が、前記エラー信号を前記第１の通信手段を介して受信した時点から一定の時間を計時する計時手段を備え、前記計時手段が一定の時間を計時したとき再度呼び出しを行わせるための情報を表示する構成を有している。
【００１４】
この構成により、一定の時間を計時したとき再度呼び出しを行わせるための情報を表示するため、制御装置が再呼出要求信号を共用端末に送信する必要がなくなり、制御装置の処理負荷を低減することができる。
【００１５】
本発明の共用端末は、住戸毎に設置された１つ以上の住戸端末に接続された制御装置に接続されており、前記制御装置が前記住戸端末と通話可能に接続したとき前記住戸端末の相手と通話させる通話手段と、呼び出しを行うときの住戸を識別するための住戸番号を入力させる住戸番号入力手段と、前記住戸番号入力手段によって入力された住戸番号を含む呼出信号を前記制御装置に送信する第１の通信手段と、前記制御装置から送信されたエラー信号を前記第１の通信手段を介して受信し、受信したエラー信号に応じた情報を表示する表示手段とを備えた構成を有している。
【００１６】
この構成により、エラー信号に応じた情報を表示するため、呼び出しの状況を利用者に確認させることができる。
【００１７】
本発明の制御装置は、共用端末と住戸毎に設置された１つ以上の住戸端末とに接続されており、前記住戸端末のアドレスと住戸番号とを対応させるための対応情報を記憶する記憶手段と、前記共用端末から送信された呼び出し信号を受信する第２の通信手段と、前記呼出信号に含まれる住戸番号と対応する前記アドレスが前記対応情報に存在しないとき、前記住戸番号含むアドレス取得信号を各前記住戸端末に送信する第３の通信手段とを備え、前記住戸端末から送信された応答信号を前記第３の通信手段を介して受信し、受信した応答信号に含まれるアドレスと前記呼出信号に含まれる住戸番号との対応を前記対応情報に加えると共に、前記呼出信号に含まれる住戸番号と対応する前記住戸端末と前記共用端末とを通話可能に接続する構成を有している。
【００１８】
この構成により、住戸端末が予め記憶している住戸端末のアドレスを取得し、取得した住戸端末のアドレスと呼出信号に含まれる住戸番号との対応を対応情報に加えることにより住戸番号の登録を行うため、住戸番号の登録における支障を防止すると共に住戸番号を自動で登録することができる。
【００１９】
本発明の住戸端末は、共用端末に接続された制御装置に接続されており、前記制御装置が前記共用端末と通話可能に接続したとき前記共用端末の相手と通話させる通話手段と、自己の前記住戸番号および自己の前記アドレスを予め記憶する記憶手段と、前記制御装置から送信されたアドレス取得信号を受信する通信手段とを備え、前記アドレス取得信号に含まれる住戸番号が、前記記憶手段に記憶された住戸番号と同一であるとき、前記通信手段は、前記記憶手段に記憶されたアドレスを含む応答信号を前記制御装置に送信する構成を有している。
【００２０】
この構成により、通話システムの稼動中に住戸端末に対する住戸番号の設定を行わずに、アドレス取得信号の受信に応じて、住戸端末が予め記憶している住戸端末のアドレスを取得し、制御装置が、取得した住戸端末のアドレスと呼出信号に含まれる住戸番号との対応を対応情報に加えることにより住戸番号の登録を行うため、住戸番号の登録における支障を防止すると共に住戸番号を自動で登録することができる。
【発明の効果】
【００２１】
本発明は、住戸番号の登録における支障を防止すると共に住戸番号を自動で登録することができるという効果を有する通話システム、共用端末、制御装置、および住戸端末を提供することができるものである。
【発明を実施するための最良の形態】
【００２２】
以下、本発明の実施の形態に係る通話システムについて、図面を用いて説明する。
【００２３】
（第１の実施の形態）
本発明の第１の実施の形態に係る通話システムのシステム構成図を図１に示す。図１に示したように、通話システム１は、住戸毎に設置された１つ以上の住戸インターホン３０と、共用通信バス９で住戸インターホン３０に接続された制御装置２０と、制御装置２０に接続された共用インターホン１０とによって構成されている。
【００２４】
例えば、通話システム１は、マンション等の集合住宅などに使用される。また、共用インターホン１０は、マンション等の共用の玄関または共用のエントランス付近に設置され、住戸インターホン３０は、集合住宅内の各住戸に設置される。例えば、通話システム１では、集合住宅内の特定の住人を呼び出す際に、来訪者などが、共用インターホン１０を操作して特定の住人と対応する住戸を識別するための住戸番号を入力することにより、特定の住人を呼び出し、呼び出した住人と通話するようになっている。
【００２５】
本発明の第１の実施の形態に係る共用インターホンの装置構成図を図２に示す。図２に示したように、共用インターホン１０は、来訪者が呼び出しを行うときの住戸を識別するための住戸番号を入力させる住戸番号入力手段１１、住戸番号入力手段１１によって入力された住戸番号を確定することにより住戸にいる相手を呼び出すための呼出手段１２、入力された住戸番号を来訪者に確認させる表示する入力番号確認手段１３、通話チャネルが使用中または呼出先の住戸インターホン３０が使用中などを表す旨などを利用者に通知する通話チャネル使用中表示手段１４、制御装置２０との間で通信を行う通信手段１５、時間を計時する計時手段１６、音声を出力するスピーカ１７ａ、音声を入力するマイクロホン１７ｂ、スピーカ１７ａおよびマイクロホン１７ｂから入出力された音声信号を制御装置２０との間で送受信する通話インタフェース１７ｃ、および、共用インターホン１０に関る動作を制御する演算制御手段１８によって構成される。
【００２６】
例えば、住戸番号入力手段１１は、プッシュスイッチを用いたテンキーなどによって構成され、呼出手段１２は、プッシュスイッチなどによって構成される。また、入力番号確認手段１３は、入力された住戸番号を表示するものであり、例えば７つのセグメントのＬＥＤ（Light Emitting Diode）およびＬＥＤを駆動するドライバ回路、または液晶表示器および液晶表示器を駆動するドライバ回路などによって構成される。
【００２７】
例えば、通話チャネル使用中表示手段１４は、通話の状況などを説明するための文字を表示する表示器、または液晶表示器と液晶表示器を駆動するドライバ回路などによって構成され、通信手段１５は、通信回路などによって構成され、計時手段１６は、タイマー回路などによって構成される。
【００２８】
通話インタフェース１７ｃは、例えば、アンプ回路と２線−４線変換回路、インピーダンスカップリング用のトランスなどによって構成され、演算制御手段１８は、ＣＰＵ（Central Processing Unit）またはゲートＩＣ（Integrated Circuit）などによって構成される。なお、本発明の共用端末に係る通話手段は、スピーカ１７ａ、マイクロホン１７ｂ、および通話インタフェース１７ｃなどによって構成されてもよい。
【００２９】
本発明の第１の実施の形態に係る制御装置の装置構成図を図３に示す。図３に示したように、制御装置２０は、共用インターホン１０と住戸インターホン３０とを接続するための通話チャネルの選択切替を行う通話チャネル切替手段２１、住戸インターホン３０のアドレスと対応する住戸番号を記憶する不揮発性メモリ２２、住戸インターホン３０との間で通信を行う住戸部通信手段２３、住戸インターホン３０との間で音声信号を送受信する住戸部通話インタフェース２４、共用インターホン１０との間で通信を行う共用部通信手段２５、共用インターホン１０との間で音声信号を送受信する共用部通話インタフェース２６、および、制御装置２０に関る動作を制御する演算制御手段２７によって構成される。
【００３０】
例えば、通話チャネル切替手段２１は、リレー回路またはアナログスイッチ回路などによって構成され、不揮発性メモリ２２は、フラッシュＲＯＭ（Read Only Memory）などの記憶手段によって構成される。また、住戸部通信手段２３および共用部通信手段２５は、通信回路などによって構成され、住戸部通話インタフェース２４および共用部通話インタフェース２６は、アンプ回路と２線−４線変換回路、インピーダンスカップリング用のトランスなどによって構成される。演算制御手段２７は、ＣＰＵまたはゲートＩＣなどによって構成される。
【００３１】
本発明の第１の実施の形態に係る住戸インターホンの装置構成図を図４に示す。図４に示したように、住戸インターホン３０は、住戸番号を設定させるための住戸番号設定手段３１、設定された住戸番号を記憶する住戸番号記憶手段３２、制御装置２０との間で通信を行う通信手段３３、音声を出力するスピーカ３４ａ、音声を入力するマイクロホン３４ｂ、スピーカ３４ａおよびマイクロホン３４ｂから入出力された音声信号を制御装置２０との間で送受信する通話インタフェース３４ｃ、および、住戸インターホン３０に関る動作を制御する演算制御手段３５によって構成される。
【００３２】
例えば、住戸番号設定手段３１は、スライドスイッチやロータリースイッチ、または、番号表示を併用したプッシュスイッチやタッチパネルなどによって構成される。住戸番号記憶手段３２は、例えばフラッシュＲＯＭまたはＲＡＭ（Random Access Memory）などによって構成される。通信手段３３は、通信回路などによって構成される。
【００３３】
通話インタフェース３４ｃは、例えば、アンプ回路と２線−４線変換回路、インピーダンスカップリング用のトランスなどによって構成され、演算制御手段３５は、ＣＰＵまたはゲートＩＣなどによって構成される。なお、本発明の住戸端末に係る通話手段は、スピーカ３４ａ、マイクロホン３４ｂ、および通話インタフェース３４ｃなどによって構成されてもよい。
【００３４】
以上のように構成された本発明の第１の実施の形態に係る通話システムにおいて、本発明の第１の実施の形態に係る通話システムの動作について、図面を用いて以下に説明する。
【００３５】
図５は、本発明の第１の実施の形態に係る通話システムの動作について説明するためのシーケンス図である。
【００３６】
全ての住戸インターホン３０には、住戸番号設定手段３１を操作してそれぞれの住戸インターホン３０に該当する住戸番号が住戸番号記憶手段３２に予め記憶されている。
【００３７】
まず、特定の住戸にいる住人との通話を目的に、利用者は、共用インターホン１０の住戸番号入力手段１１を操作して呼出先の住戸番号を入力する。住戸番号が住戸番号入力手段１１によって入力されたとき、演算制御手段１８は、入力された住戸番号を入力番号確認手段１３に表示させる。住戸番号が入力番号確認手段１３に表示されるため、利用者は、自らが入力した住戸番号が誤りでないか確認できる。
【００３８】
続いて、利用者は、呼出手段１２を呼出操作して住戸番号を確定したとき、演算制御手段１８は、住戸番号入力手段１１によって入力された住戸番号を含む呼出信号を通信手段１５に出力し、通信手段１５は、出力された呼出信号を制御装置２０に送信する。
【００３９】
共用インターホン１０によって送信された住戸番号を含む呼出信号が、制御装置２０の共用部通信手段２５によって受信されたとき、制御装置２０の演算制御手段２７は、受信した住戸番号により住戸インターホン３０のアドレスと住戸番号とを対応させた対応情報を不揮発性メモリ２２から取得する。次に、演算制御手段２７は、受信された呼出信号に含まれる住戸番号と対応するアドレスが、取得された対応情報に存在しないとき、呼出信号に含まれる住戸番号を含むアドレス取得信号を住戸部通信手段２３に出力する。住戸部通信手段２３は、出力されたアドレス取得信号を共用通信バス９を介して全ての住戸インターホン３０に送信する。
【００４０】
一方、受信された呼出信号に含まれる住戸番号と対応するアドレスが、取得された対応情報に存在したとき、演算制御手段２７は、呼出信号に含まれる住戸番号と対応する住戸インターホン３０に、呼出信号を住戸部通信手段２３を介して送信し、通話チャネル切替手段２１は、呼出信号に含まれる住戸番号と対応する住戸インターホン３０と共用インターホン１０とを通話可能に接続するために、通話チャネルの選択切替を行う。
【００４１】
アドレス取得信号を受信した全ての住戸インターホン３０のうち、受信されたアドレス取得信号に含まれる住戸番号と同一の住戸番号を有する住戸インターホン３０が、アドレス取得信号に応答するための応答信号を制御装置２０に送信する。より詳細には、制御装置２０によって送信されたアドレス取得信号が、住戸インターホン３０の通信手段３３によって受信されたとき、演算制御手段３５は、受信されたアドレス取得信号に含まれる住戸番号が、住戸番号記憶手段３２に記憶された住戸番号と同一であるとき、自己のアドレスおよび自己の住戸番号を含む応答信号を通信手段３３に出力する。通信手段３３は、出力された応答信号を制御装置２０に送信する。
【００４２】
住戸インターホン３０によって送信された応答信号が、制御装置２０の住戸部通信手段２３によって受信されたとき、演算制御手段２７は、応答信号を送信した住戸インターホン３０のアドレスと呼出信号に含まれる住戸番号との対応を対応情報に加え、不揮発性メモリ２２に記憶させて登録する。また、演算制御手段２７は、応答信号を送信した住戸インターホン３０に、呼出信号を住戸部通信手段２３を介して送信し、通話チャネル切替手段２１は、呼出信号に含まれる住戸番号と対応する住戸インターホン３０と共用インターホン１０とを通話可能に接続するために、通話チャネルの選択切替を行う。
【００４３】
以上説明したように、本発明の第１の実施の形態に係る通話システムは、通話システム１の稼動中に住戸インターホン３０に対する住戸番号の設定を行わずに、共用インターホン１０から送信された呼出信号に応じて制御装置２０が、住戸インターホン３０が予め記憶している住戸インターホン３０のアドレスを取得し、取得した住戸インターホン３０のアドレスと呼出信号に含まれる住戸番号との対応を対応情報に加えることにより住戸番号の登録を行うため、住戸番号の登録における支障を防止すると共に住戸番号を自動で登録することができる。
【００４４】
（第２の実施の形態）
図６は、本発明の第２の実施の形態に係る通話システムの動作について説明するためのシーケンス図である。なお、本発明の第２の実施の形態に係る通話システムのシステム構成は、本発明の第１の実施の形態に係る通話システムのシステム構成と同様であり、その説明を省略する。
【００４５】
全ての住戸インターホン３０には、住戸番号設定手段３１を操作してそれぞれの住戸インターホン３０に該当する住戸番号が住戸番号記憶手段３２に予め記憶されている。
【００４６】
まず、特定の住戸にいる住人との通話を目的に、利用者は、共用インターホン１０の住戸番号入力手段１１を操作して呼出先の住戸番号を入力する。住戸番号が住戸番号入力手段１１によって入力されたとき、演算制御手段１８は、入力された住戸番号を入力番号確認手段１３に表示させる。
【００４７】
続いて、利用者は、呼出手段１２を呼出操作して住戸番号を確定したとき、演算制御手段１８は、住戸番号入力手段１１によって入力された住戸番号を含む呼出信号を通信手段１５に出力し、通信手段１５は、出力された呼出信号を制御装置２０に送信する。
【００４８】
共用インターホン１０によって送信された呼出信号が、制御装置２０の共用部通信手段２５によって受信されたとき、演算制御手段２７は、住戸インターホン３０のアドレスと住戸番号とを対応させた対応情報を不揮発性メモリ２２から取得する。次に、演算制御手段２７は、受信された呼出信号に含まれる住戸番号と対応するアドレスが、取得された対応情報に存在しないとき、アドレスが存在しない旨のエラー信号を共用部通信手段２５に出力する。共用部通信手段２５は、出力されたエラー信号を共用インターホン１０に送信する。
【００４９】
一方、演算制御手段２７は、受信された呼出信号に含まれる住戸番号と対応するアドレスが、取得された対応情報に存在しないとき、呼出信号に含まれる住戸番号を含むアドレス取得信号を住戸部通信手段２３に出力する。住戸部通信手段２３は、出力されたアドレス取得信号を共用通信バス９を介して全ての住戸インターホン３０に送信する。
【００５０】
ところで、受信された呼出信号に含まれる住戸番号と対応するアドレスが、取得された対応情報に存在すれば、演算制御手段２７は、呼出信号に含まれる住戸番号と対応する住戸インターホン３０に、呼出信号を住戸部通信手段２３を介して送信し、通話チャネル切替手段２１は、呼出信号に含まれる住戸番号と対応する住戸インターホン３０と共用インターホン１０とを通話可能に接続するために、通話チャネルの選択切替を行う。
【００５１】
制御装置２０によって送信されたエラー信号が、共用インターホン１０の通信手段１５によって受信されたとき、演算制御手段１８は、受信したエラー信号に応じた情報を通話チャネル使用中表示手段１４に表示させる。なお、エラー信号に応じた情報とは、通話チャネルが使用中、または呼出先の住戸インターホン３０が使用中などを表す旨の情報である。
【００５２】
また、アドレス取得信号を受信した全ての住戸インターホン３０のうち、受信されたアドレス取得信号に含まれる住戸番号と同一の住戸番号を有する住戸インターホン３０が、アドレス取得信号に応答するための応答信号を制御装置２０に送信する。
【００５３】
住戸インターホン３０によって送信された応答信号が、制御装置２０の住戸部通信手段２３によって受信されたとき、演算制御手段２７は、応答信号を送信した住戸インターホン３０のアドレスと呼出信号に含まれる住戸番号との対応を対応情報に加え、不揮発性メモリ２２に記憶させて登録する。また、演算制御手段２７は、再度呼び出しを行わせるための再呼出要求信号を共用部通信手段２５に出力し、共用部通信手段２５は、出力された再呼出要求信号を共用インターホン１０に送信する。
【００５４】
制御装置２０によって送信された再呼出要求信号が、共用インターホン１０の通信手段１５によって受信されたとき、演算制御手段１８は、受信した再呼出要求信号に応じた情報を通話チャネル使用中表示手段１４に表示させる。なお、再呼出要求信号に応じた情報とは、通話チャネルの使用中が復旧した旨、または呼出先の住戸インターホン３０の使用中が復旧した旨などを表す情報である。
【００５５】
再呼出要求信号に応じた情報を確認した利用者は、住戸番号設定手段３１および呼出手段１２を再度同様に操作して、呼出先の住戸番号を確定したとき、演算制御手段１８は、住戸番号入力手段１１によって入力された住戸番号を含む呼出信号を通信手段１５に出力し、通信手段１５は、出力された呼出信号を制御装置２０に送信する。
【００５６】
ここで、受信された呼出信号に含まれる住戸番号と対応するアドレスが、取得された対応情報に存在するため、演算制御手段２７は、呼出信号に含まれる住戸番号と対応する住戸インターホン３０に、呼出信号を住戸部通信手段２３を介して送信し、通話チャネル切替手段２１は、呼出信号に含まれる住戸番号と対応する住戸インターホン３０と共用インターホン１０とを通話可能に接続するために、通話チャネルの選択切替を行う。
【００５７】
以上説明したように、本発明の第２の実施の形態に係る通話システムは、呼出信号に含まれる住戸番号と対応するアドレスが対応情報に存在しないとき、エラー信号に応じた情報を表示するため、呼び出しの状況を利用者に確認させることができる。
【００５８】
また、呼出信号に含まれる住戸番号と対応するアドレスが対応情報に存在しない場合、応答信号に含まれるアドレスと呼出信号に含まれる住戸番号との対応を対応情報に加えたとき、再呼出要求信号に応じた情報を表示するため、利用者に再度呼び出しを行わせることができる。
【００５９】
（第３の実施の形態）
図７は、本発明の第３の実施の形態に係る通話システムの動作について説明するためのシーケンス図である。なお、本発明の第３の実施の形態に係る通話システムの構成は、本発明の第１の実施の形態に係る通話システムのシステム構成と同様であり、その説明を省略する。
【００６０】
全ての住戸インターホン３０には、住戸番号設定手段３１を操作してそれぞれの住戸インターホン３０に該当する住戸番号が住戸番号記憶手段３２に予め記憶されている。
【００６１】
まず、特定の住戸にいる住人との通話を目的に、利用者は、共用インターホン１０の住戸番号入力手段１１を操作して呼出先の住戸番号を入力する。住戸番号が住戸番号入力手段１１によって入力されたとき、演算制御手段１８は、入力された住戸番号を入力番号確認手段１３に表示させる。
【００６２】
続いて、利用者は、呼出手段１２を呼出操作して住戸番号を確定したとき、演算制御手段１８は、住戸番号入力手段１１によって入力された住戸番号を含む呼出信号を通信手段１５に出力し、通信手段１５は、出力された呼出信号を制御装置２０に送信する。
【００６３】
共用インターホン１０によって送信された呼出信号が、制御装置２０の共用部通信手段２５によって受信されたとき、演算制御手段２７は、住戸インターホン３０のアドレスと住戸番号とを対応させた対応情報を不揮発性メモリ２２から取得する。次に、演算制御手段２７は、受信された呼出信号に含まれる住戸番号と対応するアドレスが、取得された対応情報に存在しないとき、アドレスが存在しない旨のエラー信号を共用部通信手段２５に出力する。共用部通信手段２５は、出力されたエラー信号を共用インターホン１０に送信する。
【００６４】
一方、演算制御手段２７は、受信された呼出信号に含まれる住戸番号と対応するアドレスが、取得された対応情報に存在しないとき、呼出信号に含まれる住戸番号を含むアドレス取得信号を住戸部通信手段２３に出力する。住戸部通信手段２３は、出力されたアドレス取得信号を共用通信バス９を介して全ての住戸インターホン３０に送信する。
【００６５】
受信された呼出信号に含まれる住戸番号と対応するアドレスが、取得された対応情報に存在すれば、演算制御手段２７は、呼出信号に含まれる住戸番号と対応する住戸インターホン３０に、呼出信号を住戸部通信手段２３を介して送信し、通話チャネル切替手段２１は、呼出信号に含まれる住戸番号と対応する住戸インターホン３０と共用インターホン１０とを通話可能に接続するために、通話チャネルの選択切替を行う。
【００６６】
制御装置２０によって送信されたエラー信号が、共用インターホン１０の通信手段１５によって受信されたとき、演算制御手段１８は、受信したエラー信号に応じた情報を通話チャネル使用中表示手段１４に表示させると共に、計時手段１６にエラー信号を受信した時点から一定の時間を計時させる。
【００６７】
また、アドレス取得信号を受信した全ての住戸インターホン３０のうち、受信されたアドレス取得信号に含まれる住戸番号と同一の住戸番号を有する住戸インターホン３０が、アドレス取得信号に応答するための応答信号を制御装置２０に送信する。
【００６８】
住戸インターホン３０によって送信された応答信号が、制御装置２０の住戸部通信手段２３によって受信されたとき、演算制御手段２７は、応答信号を送信した住戸インターホン３０のアドレスと呼出信号に含まれる住戸番号との対応を対応情報に加え、不揮発性メモリ２２に記憶させて登録する。
【００６９】
一方、共用インターホン１０の計時手段１６が一定の時間を計時したとき、演算制御手段１８は、再度呼び出しを行わせるための情報を通話チャネル使用中表示手段１４に表示させる。なお、再度呼び出しを行わせるための情報とは、通話チャネルの使用中が復旧した旨、または呼出先の住戸インターホン３０の使用中が復旧した旨などを表す情報である。
【００７０】
再度呼び出しを行わせるための情報を確認した利用者は、住戸番号設定手段３１および呼出手段１２を再度同様に操作して、呼出先の住戸番号を確定したとき、演算制御手段１８は、住戸番号入力手段１１によって入力された住戸番号を含む呼出信号を通信手段１５に出力し、通信手段１５は、出力された呼出信号を制御装置２０に送信する。
【００７１】
ここで、受信された呼出信号に含まれる住戸番号と対応するアドレスが、取得された対応情報に存在するため、演算制御手段２７は、呼出信号に含まれる住戸番号と対応する住戸インターホン３０に、呼出信号を住戸部通信手段２３を介して送信し、通話チャネル切替手段２１は、呼出信号に含まれる住戸番号と対応する住戸インターホン３０と共用インターホン１０とを通話可能に接続するために、通話チャネルの選択切替を行う。
【００７２】
以上説明したように、本発明の第３の実施の形態に係る通話システムは、一定の時間を計時したとき再度呼び出しを行わせるための情報を表示するため、制御装置が再呼出要求信号を共用端末に送信する必要がなくなり、制御装置の処理負荷を低減することができる。
【産業上の利用可能性】
【００７３】
以上のように、本発明に係る通話システムは、住戸番号の登録における支障を防止すると共に住戸番号を自動で登録することができるという効果を有し、集合住宅などに設置された共用端末と住戸端末とを通話可能に接続するための通話システム等として有用である。
【図面の簡単な説明】
【００７４】
【図１】本発明の第１の実施の形態に係る通話システムのシステム構成図
【図２】本発明の第１の実施の形態に係る共用インターホンの装置構成図
【図３】本発明の第１の実施の形態に係る制御装置の装置構成図
【図４】本発明の第１の実施の形態に係る住戸インターホンの装置構成図
【図５】本発明の第１の実施の形態に係る通話システムの動作について説明するためのシーケンス図
【図６】本発明の第２の実施の形態に係る通話システムの動作について説明するためのシーケンス図
【図７】本発明の第３の実施の形態に係る通話システムの動作について説明するためのシーケンス図
【図８】従来の通話システムに係るシステム構成図
【図９】従来の通話システムにおける住戸番号の自動登録の手順を示すシーケンス図
【符号の説明】
【００７５】
１  通話システム
９  共用通信バス
１０  共用インターホン
１１  住戸番号入力手段
１２  呼出手段
１３  入力番号確認手段
１４  通話チャネル使用中表示手段
１５、３３、６１  通信手段
１６  計時手段
１７ａ、３４ａ  スピーカ
１７ｂ、３４ｂ  マイクロホン
１７ｃ、３４ｃ  通話インタフェース
１８、２７、３５  演算制御手段
２０  制御装置
２１  通話チャネル切替手段
２２、６２  不揮発性メモリ
２３  住戸部通信手段
２４  住戸部通話インタフェース
２５  共用部通信手段
２６  共用部通話インタフェース
３０  住戸インターホン
３１  住戸番号設定手段
３２  住戸番号記憶手段
６０  主装置
６３  制御手段
７０、７０Ａ、７０Ｂ、７０Ｃ  インターホン
【図１】
2006041812.tif 000003
【図２】
2006041812.tif 000004
【図３】
2006041812.tif 000005
【図４】
2006041812.tif 000006
【図５】
2006041812.tif 000007
【図６】
2006041812.tif 000008
【図７】
2006041812.tif 000009
【図８】
2006041812.tif 000010
【図９】
2006041812.tif 000011